Podtech/llm-jp-corpus-v4-ja_patent huggingface dataset:
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
神経細胞において、ＴＷＥＡＫの発現もしくは活性、もしくはＴＷＥＡＫレセプターの発現もしくは活性、またはＴＷＥＡＫおよびＴＷＥＡＫレセプターの発現もしくは活性を調節もしくは阻害する物質、または、ＴＷＥＡＫレセプターの細胞内シグナル伝達を調節もしくは阻害する物質を含む、神経学的または精神医学的な症状を治療、もしくは予防、または治療および予防するための医薬組成物。
【請求項２】
物質が抗体である、請求項１記載の医薬組成物。
【請求項３】
物質がアンチセンスオリゴヌクレオチドである、請求項１記載の医薬組成物。
【請求項４】
物質がｓｉＲＮＡである、請求項１記載の医薬組成物。
【請求項５】
物質が、ウイルスベクターまたはリポソームによって提供される、請求項３または４記載の医薬組成物。
【請求項６】
物質がＴＷＥＡＫ−分解リボザイムである、請求項１記載の医薬組成物。
【請求項７】
物質が、ＴＷＥＡＫレセプターのアンタゴニストである、請求項１記載の医薬組成物。
【請求項８】
アンタゴニストが、１０００ｇ／ｍｏｌよりも小さな分子量である、請求項７記載の医薬組成物。
【請求項９】
物質が、ＴＷＥＡＫレセプターの可溶性部分である、請求項１記載の医薬組成物。
【請求項１０】
神経学的症状が、虚血もしくは低酸素症または虚血および低酸素症を含む病態生理学的作用機序を有する神経学的疾患、神経変性疾患、および神経細胞死を伴う神経系の疾患よりなるグループから選択される少なくとも１つの症状である、請求項１記載の医薬組成物。
【請求項１１】
神経学的疾患が、虚血、もしくは低酸素症、または虚血および低酸素症を含む病態生理学的作用機序を有し、脳梗塞、救急蘇生術後の脳虚血、分娩時低酸素症（ｉｎｔｒａｐａｒｔａｌ  ｈｙｐｏｘｉａ）、手術中の低酸素症および虚血、ならびに眼球内の虚血もしくは低酸素症または眼球内虚血および低酸素症からなるグループから選択される少なくとも１つの疾患である、請求項１０記載の医薬組成物。
【請求項１２】
神経変性疾患が、脳梗塞、ＡＬＳ、パーキンソン病、脳虚血、多発性硬化症、統合失調症、うつ病、ハンチントン病、トリヌクレオチドリピート病、末梢神経障害、認知症、およびＣＮＳ外傷からなるグループから選択される少なくとも１つの疾患である、請求項１０記載の医薬組成物。
【請求項１３】
神経細胞死を伴う神経系の疾患が、脳梗塞、ＡＬＳ、パーキンソン病、脳虚血、心臓血管疾患救急蘇生術後の脳虚血、多発性硬化症、統合失調症、分娩時低酸素症、手術中の低酸素症もしくは虚血または手術中の低酸素症および虚血、眼球内の虚血もしくは低酸素症または眼球内虚血および低酸素症、うつ病、ハンチントン病、トリヌクレオチドリピート病、末梢神経障害、認知症、およびＣＮＳ外傷からなるグループから選択される少なくとも１つの疾患である、請求項１０記載の医薬組成物。
【請求項１４】
１つ以上の付加的因子をさらに含む、請求項１記載の医薬組成物。
【請求項１５】
ＴＷＥＡＫの発現または活性を調節または阻害する物質であって、
ａ）脳梗塞を模倣した条件下で神経細胞培養物をインキュベートすること、
ｂ）該細胞を該物質と接触すること、
ｃ）これらの細胞のＴＷＥＡＫの発現レベルを、該物質に接触させてはいないが、同一の条件下でインキュベートした細胞のＴＷＥＡＫ発現と比較することを特徴とする物質を同定する方法。
【手続補正書】
【提出日】平成20年4月3日(2008.4.3)
【手続補正１】
【補正対象書類名】特許請求の範囲
【補正対象項目名】全文
【補正方法】変更
【補正の内容】
【特許請求の範囲】
【請求項１】
コンテナの少なくとも１つのドアを固定するためのコンテナ・セキュリティ装置であって、当該コンテナ・セキュリティ装置は該固定を実現するためにプログラム可能にアーミングされ、また当該コンテナ・セキュリティ装置は、コンテナの少なくとも１つの状態を検知し、該検知した少なくとも１つの状態に関連した情報をコンテナの外の場所へ伝送し、該検知した少なくとも１つの状態を解釈するように構成されている、コンテナ・セキュリティ装置と、
前記コンテナ・セキュリティ装置に結合された遠隔アーミング・プラグであって、当該遠隔アーミング・プラグは、前記コンテナ・セキュリティ装置のアーミング・シーケンスを開始するために前記コンテナ・セキュリティ装置に伝達すべき固有の識別子を持っている、遠隔アーミング・プラグと、
前記コンテナ・セキュリティ装置のコンテナ・セキュリティ装置ＩＤ及び前記遠隔アーミング・プラグの前記固有の識別子を認証する認証サーバを含み、前記コンテナ・セキュリティ装置ＩＤは前記コンテナのコンテナＩＤに関連している、
コンテナの状態を監視するためのシステム。
【請求項２】
前記固有の識別子は前記遠隔アーミング・プラグから読み取られて、固有のアーミング・キーを算出するために前記コンテナ・セキュリティ装置で使用される、請求項１記載のシステム。
【請求項３】
特定の時間後に前記遠隔アーミング・プラグが前記コンテナ・セキュリティ装置から分離され、且つ前記コンテナの少なくとも１つのドアが閉じられていることを前記コンテナ・セキュリティ装置が判定したことに応答して、前記アーミング・シーケンスが開始される、請求項１記載のシステム。
【請求項４】
許可されたユーザのリストを記憶すると共に、前記コンテナ・セキュリティ装置に結合された遠隔アーミング・プラグについて遠隔アーミング・プラグＩＤを発行するためのユーザ・サーバをさらに含み、遠隔アーミング・プラグの移動に応答して、前記コンテナ・セキュリティ装置のアーミング・シーケンスが開始され、前記認証サーバは前記ユーザ・サーバと通信関係にある、請求項１記載のシステム。
【請求項５】
前記コンテナ・セキュリティ装置がアーミングされたことに応答して、前記認証サーバは、前記遠隔アーミング・プラグの前記固有の識別子及び前記コンテナ・セキュリティ装置ＩＤを受け取って、前記固有の識別子及び前記コンテナ・セキュリティ装置ＩＤと記憶された値とを比較することにより前記コンテナ・セキュリティ装置を認証するように構成されている、請求項４記載のシステム。
【請求項６】
コンテナの状態を監視する方法であって、
コンテナの少なくとも１つのドアをコンテナ・セキュリティ装置により固定する段階であって、前記コンテナ・セキュリティ装置がコンテナの少なくとも１つの状態を検知し、該検知した少なくとも１つの状態に関連した情報をコンテナの外の場所へ伝送し、また該検知した少なくとも１つの状態を解釈するように構成されている、当該段階と、
遠隔アーミング・プラグの移動に応答して、前記コンテナ・セキュリティ装置のアーミング・シーケンスを開始する段階であって、前記遠隔アーミング・プラグは、前記コンテナ・セキュリティ装置のアーミング・シーケンスを開始するために前記コンテナ・セキュリティ装置に伝達すべき固有の識別子を持っている、当該段階と、
前記コンテナ・セキュリティ装置のコンテナ・セキュリティ装置ＩＤ及び前記遠隔アーミング・プラグの前記固有の識別子を認証する段階であって、前記コンテナ・セキュリティ装置ＩＤは前記コンテナのコンテナＩＤに関連している、当該段階と、
を有している、コンテナの状態を監視する方法。
【請求項７】
前記固有の識別子は前記遠隔アーミング・プラグから読み取られて、固有のアーミング・キーを算出するために前記コンテナ・セキュリティ装置で使用される、請求項６記載の方法。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
グレリン欠乏の治療または予防を必要とする個体におけるグレリン欠乏を治療または予防するための医薬を製造するための成長ホルモン分泌促進薬 の使用。
【請求項２】
該グレリン欠乏が、患者においてCummingsらの、New England Journal of Medicine、2002、346(21)：1623-30に記載のグレリンレベルの測定方法を用いて診断することができ、個体の朝食ピーク時のグレリンレベルが175fmol/ml未満であるときにグレリン欠乏と診断することができるものである請求項1記載の使用。
【請求項３】
該グレリン欠乏が病的状態により生じる請求項1または2に記載の使用。
【請求項４】
該グレリン欠乏が医学的治療により生じる請求項1または2に記載の使用。
【請求項５】
甲状腺機能亢進症に罹患した個体のグレリン欠乏を治療または予防するための医薬を製造するための成長ホルモン分泌促進薬の使用。
【請求項６】
該甲状腺機能亢進症が、グレーブス病、高レベルのヨウ素を含む薬剤、甲状腺炎、亜急性甲状腺炎、分娩後甲状腺炎、甲状腺ホルモン産生細胞のフィードバック制御の低下、中毒性結節性甲状腺腫、甲状腺ホルモンの過剰服用、または甲状腺薬物療法の1またはそれ以上により生じる請求項5記載の使用。
【請求項７】
完全または部分的なGI管の上皮の崩壊に 罹るか罹るリスクがある個体のグレリン欠乏を治療または予防するための医薬を製造するための成長ホルモン分泌促進薬の使用。
【請求項８】
該上皮の崩壊が病的状態、遺伝病、または医学的治療の1またはそれ以上により生じる請求項7記載の使用。
【請求項９】
該医学的治療が化学療法および/または放射線療法から選ばれる請求項8記載の使用。
【請求項１０】
該病的状態が胃炎である請求項8記載の使用。
【請求項１１】
インスリン抵抗性に関連する病的状態に罹るか罹るリスクがある個体のグレリン欠乏を治療または予防するための医薬を製造するための成長ホルモン分泌促進薬の使用。
【請求項１２】
該個体が高インスリン血症である請求項11記載の使用。
【請求項１３】
該病的状態が多嚢胞性卵巣症候群、先端巨大症、一次/二次性腺機能低下症、非アルコール性脂肪肝疾患(NAFLD)および/またはＩ型糖尿病からなる群から選ばれる請求項12記載の使用。
【請求項１４】
化学療法で治療された、治療されるであろう、または現在治療されている個体のグレリン欠乏を治療または予防するための医薬を製造するための成長ホルモン分泌促進薬の使用。
【請求項１５】
a) 甲状腺機能亢進状態から甲状腺機能正常状態に転換しているか、または
b) 甲状腺機能亢進状態から甲状腺機能正常状態への転換からの寛解にある
個体の体重増加を予防するための医薬を製造するための分泌促進薬化合物の使用。
【請求項１６】
該個体がグレーブス病に罹患しているかまたはその罹患から寛解している請求項15記載の使用。
【請求項１７】
該個体が甲状腺炎に罹患しているかまたはその罹患から寛解している請求項15または16記載の使用。
【請求項１８】
該甲状腺炎が亜急性甲状腺炎または分娩後甲状腺炎である請求項17記載の使用。
【請求項１９】
該甲状腺炎がDe Quervain(ドケルバン)甲状腺炎である請求項17記載の使用。
【請求項２０】
該個体が孤立性腺腫に罹患しているかまたはその罹患から寛解している請求項15記載の使用。
【請求項２１】
該個体が結節性甲状腺中毒症に罹患しているかまたはその罹患から寛解している請求項15記載の使用。
【請求項２２】
該個体が、甲状腺ホルモンの過剰投薬により生じた症状があるかまたはそれから寛解している個体、例えばT3を含むある形の甲状腺薬物療法を受けた個体である請求項15記載の使用。
【請求項２３】
該個体が、甲状腺産生細胞のフィードバック制御の低下により生じる症状があるかまたはそれから寛解している請求項15記載の使用。
【請求項２４】
該医薬が甲状腺機能亢進症を治療するための医薬と組み合わせて投与される請求項15〜23のいずれかに記載の使用。
【請求項２５】
甲状腺機能亢進症を治療するための医薬が、所望により心臓血管系を標的とする薬剤と組み合わせた、
A) 抗甲状腺薬、および/または
B) 外科手術、および/または
C) 放射性ヨウ素
の1またはそれ以上である請求項24記載の使用。
【請求項２６】
該分泌促進薬がグレリンまたはその医薬的に許容される塩である先の請求項のいずれかに記載の使用。
【請求項２７】
該分泌促進薬がグレリン様化合物またはその医薬的に許容される塩であり、該グレリン様化合物が、式I：Z1-(X1)m-(X2)-(X3)n-Z2
[式中、Z1は、所望により存在する保護基であり、
各X1は独立してアミノ酸から選ばれ、該アミノ酸は天然および合成アミノ酸から選ばれ、
X2は、天然および合成アミノ酸から選ばれるあらゆるアミノ酸であり、該アミノ酸は大きな疎水性基、好ましくはアシル基または脂肪酸で修飾されており、
各X3は、アミノ酸から独立して選ばれ、該アミノ酸は天然および合成アミノ酸から選ばれる。ここで、X1およびX3の1またはそれ以上が大きな疎水性基、好ましくはアシル基または脂肪酸で修飾されていてよい；
Z2は所望により存在する保護基であり、
mは1〜10の範囲の整数であり、
nは0または1〜35の範囲の整数である。］
で定義される構造を含む先の請求項のいずれかに記載の使用。
【請求項２８】
該医薬が、非経口、静脈内、筋肉内、または皮下投与用の製剤である先の請求項のいずれかに記載の使用。
【請求項２９】
該製剤が分泌促進薬、例えばグレリン様化合物またはその医薬的に許容される塩を含む先の請求項 のいずれかに記載の使用。
【請求項３０】
該製剤が、分泌促進薬、例えばグレリン様化合物またはその塩を凍結乾燥物として含み、該製剤がさらに溶媒を含み、該凍結乾燥物および該溶媒が投与されるまで別のコンパートメント中にある先の請求項 のいずれかに記載の使用。
【請求項３１】
該製剤が分泌促進薬、例えばグレリン様化合物またはその塩の溶液である先の請求項 のいずれかに記載の使用。
【請求項３２】
該医薬が10ng〜10gグレリン/kg体重と等価な濃度で投与される先の請求項のいずれかに記載の使用。
【請求項３３】
該医薬が食事前または食事中にボーラスとして投与され、該ボーラスが0.3μg〜600mgグレリンと等価な量のグレリン様化合物またはその塩を含む先の請求項のいずれかに記載の使用。
【手続補正２】
【補正対象書類名】明細書
【補正対象項目名】０１０７
【補正方法】変更
【補正の内容】
【０１０７】
GHS-R1a分泌促進薬の製造方法は当業者によく知られている(例えば、PCT特許出願PCT/DK2004/000529(Gastrotech Pharma)の実施例2(この内容は本明細書の一部を構成する))。
機能性
【手続補正書】
【提出日】平成20年4月3日(2008.4.3)
【手続補正１】
【補正対象書類名】明細書
【補正対象項目名】００３７
【補正方法】変更
【補正の内容】
【００３７】
本明細書中で用いられる“プロドラッグ”という用語は、生理学的条件に曝露された際に望ましい生物学的作用を示し得る式(Ｉ)の化合物を遊離する、式(Ｉ)の化合物の誘導体を意味することを意図している。プロドラッグの例は、エステル(カルボン酸エステル、リン酸エステル類、硫酸エステル類など)、酸に不安定なエーテル類、アセタール類、ケタール類などである。
【手続補正２】
【補正対象書類名】明細書
【補正対象項目名】０１４０
【補正方法】変更
【補正の内容】
【０１４０】
プロトコルＢ：イサチン誘導体の製造
【化９】
2007532496.tif 000001
ＴＨＦ(１０ml)中のＢｏｃ無水物(２.５６ｇ, １１.７mmol)の溶液に、よく撹拌しながら、４−アミノピリジン(１.０ｇ, １０.６mmol)を、３分に亘って、２０℃から２５℃の間の温度に保ちながら、少しずつ加えた。さらなる発熱がないことを５分後観測した。次に反応物を室温で３.５時間撹拌した。真空で濃縮後、この粗製の混合物をヘキサン(２０ml)中で磨砕し、濾過し、さらなるヘキサン(〜５ml)で洗浄した。得られた固体を減圧下で乾燥し、１.９３ｇ(９.９mmol, ９４％)のピリジン−４−イル−カルバミン酸 ｔｅｒｔ−ブチルエステルを、白色の固体として得た。それをさらに精製することなく用いた。
LCMS (BDS-Hypersil C18, 50 mm×2.1 mm, 5μ, 2.5分) m/z 195 [MH]+ @ 保持時間 0.90分, 100% (UV, 215 nm).
【手続補正３】
【補正対象書類名】明細書
【補正対象項目名】０２０２
【補正方法】変更
【補正の内容】
【０２０２】
(ｂ) フリーデル・クラフト反応：ジクロロエタン中の上記粗製の３級アルコールの溶液に、フェノール(５当量)およびｐ−ＴＳＡ(７.５当量)を加えた。反応混合物を９０℃で３時間加熱し、反応物を室温まで冷却した。固体(主に不溶のｐ−ＴＳＡ)を濾過して取り、冷ジクロロエタン(２×)で洗浄した。溶液を濃縮し、残った固体をシリカ(ヘプタン／ＥｔＯＡｃの濃度勾配で溶出, ９５−５から１−１)で精製し、望ましいタイプ２の生成物のラセミ混合物を固体として得た。
下記の化合物は全て、異なる指定をしない限り、プロトコルＦに従って製造された。
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
格子が非晶質および概して球形コロイド状粒子の両方、および／または、結晶物質において存在する、コロイド状粒子を有する金属シリケート格子固相と；
共有結合で共重合し、前記コロイド状粒子内の前記格子に組み込まれた金属と；
連続水相と；
を含む、合成金属を含有するコロイド状シリケート組成物。
【請求項２】
前記金属シリケート格子固相が、シリカベース(based on silica)で、０．００１重量％から３５重量％の金属を含有する、請求項１のコロイド状シリケート組成物。
【請求項３】
１以上の前記コロイド状粒子が、非晶質および概して球形コロイド状粒子、および／または、結晶物質内に層構造を有する、請求項１のコロイド状シリケート組成物。
【請求項４】
前記共重合した金属が、アルカリ金属、アルカリ土類金属、第１列遷移金属、第２列遷移金属、ランタニドおよびそれらの組合せからなる群から選択される請求項１のコロイド状シリケート組成物。
【請求項５】
前記金属シリケート固相が、シリカベースで２重量％以下の金属を含有する、請求項１のコロイド状シリケート組成物。
【請求項６】
前記コロイド状粒子が、概して球形である、請求項１のコロイド状シリケート組成物。
【請求項７】
安定剤が、前記金属シリケート格子内に分散されている、請求項１のコロイド状シリケート組成物。
【請求項８】
コロイド状組成物の製造方法であって、
安定剤を含有するヒール溶液(heel solution)を調製する工程と；
ケイ酸溶液を調製する工程と；
コロイド状組成物を形成するために、前記ヒール溶液と前記ケイ酸溶液とを混合し、さらに処理する工程とを含む方法。
【請求項９】
金属が前記ヒール溶液に添加され、
安定剤および金属がシリケートの１以上の粒子中に分散されるように、コロイド状組成物が前記安定剤と、前記金属でドープされたシリケートとを含有し、
金属でドープされたシリケートが、シリカベースで３５重量％以下の金属を含有する、請求項８の方法。
【請求項１０】
前記コロイド状組成物が、結晶構造を形成するために更に処理され、
更に熱により処理されることができる、請求項８の方法。
【請求項１１】
結晶化に先立ち、金属が前記ヒールに添加され、
前記コロイド状組成物がゼオライトを含有し、
前記安定剤が第４級物を含有する、請求項１０の方法。
【請求項１２】
コロイド状シリケート組成物の製造方法であって、
ケイ酸溶液と、金属シリケート溶液と、アルカリ溶液とを調製する工程と；
前記ケイ酸溶液および金属シリケート溶液を前記アルカリ溶液と混合し、更に処理する工程と；
金属でドープされた１以上のシリケート粒子であって、１以上のシリケート粒子中に金属が分散しているものを形成する工程とを含む方法。
【請求項１３】
前記金属が制御された状態で分散されており、
前記金属でドープされたシリカ粒子が、シリカベースで２重量％の金属を含有する、請求項１２の方法。
【請求項１４】
前記金属がアルカリ金属、アルカリ土類金属、第１列遷移金属、第２列遷移金属、ランタニドおよびそれらの組合せからなる群から選択される、請求項１２の方法。
【請求項１５】
金属含有シリカコロイド中の金属の配置を制御する方法であって、
ケイ酸溶液と、金属シリケート溶液と、アルカリ溶液とを調製する工程と；
前記金属シリケート溶液およびケイ酸溶液を選択的に前記アルカリ溶液に添加し、金属を含有するシリカ粒子のコロイドを形成する工程とを含む方法。
【請求項１６】
前記ケイ酸溶液の前に前記金属シリケート溶液を添加する工程を更に含み、１以上のシリカ粒子の内側層(interior layer)中に金属が分散されたシリカ粒子のコロイドを形成する、請求項１５の方法。
【請求項１７】
前記金属シリケート溶液の前に前記ケイ酸溶液を添加する工程を更に含み、１以上のシリカ粒子の外側層(outer layer)中に金属が分散されたシリカ粒子のコロイドを形成する、請求項１５の方法。
【請求項１８】
前記金属シリケート溶液およびケイ酸溶液を交互に添加する工程を更に含み、金属含有層および非金属含有層(non-metal containing layer)を有するシリカ粒子のコロイドを形成する、請求項１５の方法。
【請求項１９】
１以上のシリカ粒子が、金属含有層上に非金属含有層が配置された繰り返しの層構造を含有する、請求項１５の方法。
【請求項２０】
請求項１のコロイド状組成物を含む産業上の利用において用いられる物質であって、
前記産業上の利用が歯科用途、たんぱく質の分離、分子ふるい、ナノ多孔性膜、導波管、フォトニック結晶、耐火物用途、ワインおよびジュースの清澄化、半導体およびディスクドライブコンポーネントの化学機械平坦化、触媒担体、製紙における保持および廃液の補助、フィラー、表面コーティング、セラミック物質、インベストメント鋳造バインダ、平坦化剤、プロパント、化粧品処方および研磨剤からなる群から選択される、物質。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
バンパシステムであって、
前壁及び後壁、並びに該前壁と該後壁とを接続する水平壁を有する管状ビームであって、少なくとも前記前壁の端が除去されることで該ビームに前方に開いたポケットが形成される、管状ビームと、
各端の前記ポケットに入れ子式に収納されてコーナ衝突のためのエネルギー吸収コーナ構造を形成する、エネルギー吸収エンドピースと
を備える、バンパシステム。
【請求項２】
バンパシステムであって、
前方に開いたポケットを形成するマイターカット端部分を有する、管状ビームと、
前記ポケットのそれぞれに入れ子式に収納されてコーナ衝突のためのエネルギー吸収コーナ構造を形成する、エネルギー吸収エンドピースと
を備える、バンパシステム
【請求項３】
前記ポケットは、各端に第１のポケット及び第２のポケットを含み、
前記エネルギー吸収エンドピースは、前記第１のポケット及び前記第２のポケットと入れ子式に係合する第１のローブ及び第２のローブを含む、請求項１または２に記載のバンパシステム。
【請求項４】
前記エネルギー吸収エンドピースは、前記ポケットから前記管状ビームの開口端内に延びる舌部を含む、請求項１または２に記載のバンパシステム。
【請求項５】
前記エネルギー吸収エンドピースは、その内端で前記管状ビームの前記前壁の第２の前面の隣接部分と概ね整列するが該第２の前面に対して一定の角度を画定する、第１の前面を含む、請求項１または２に記載のバンパシステム。
【請求項６】
バンパを製造する方法であって、
管状ビームを設けるステップと、
前記管状ビームの端をマイターカットするステップであって、それにより、該管状ビームの前部を除去して、前記端において少なくとも１つの前方に開いたポケットを露出させる、マイターカットするステップと、
エネルギー吸収体を前記少なくとも１つの前方に開いたポケットに挿入するステップであって、それにより、前記管状ビームのコーナ衝突特性を改善する、エネルギー吸収体を挿入するステップと
を含む、バンパを製造する方法。
【手続補正書】
【提出日】平成20年7月25日(2008.7.25)
【手続補正１】
【補正対象書類名】特許請求の範囲
【補正対象項目名】全文
【補正方法】変更
【補正の内容】
【特許請求の範囲】
【請求項１】
画像情報を線形形式で処理する方法であって、
前記方法は、
インターレース非線形形式の画像情報を受信するステップと、
伝達関数を前記画像情報に適用することによって、前記画像情報を線形形式に変換するステップと、
前記画像情報をデインターレースすることによって、前記画像情報をプログレッシブ形式に変換するステップと、
前記画像情報に対する処理を前記プログレッシブ線形形式で行うステップと
を含むことを特徴とする方法。
【請求項２】
前記受信された画像情報は、輝度関連の色空間のものであることを特徴とする請求項１に記載の方法。
【請求項３】
前記画像情報を線形形式に変換するステップの前に、変換マトリックスを前記画像情報に適用することによって、前記画像情報を非線形Ｒ’Ｇ’Ｂ’色空間に変換するステップをさらに含むことを特徴とする請求項２に記載の方法。
【請求項４】
前記処理は、前記画像情報をサイズ変更するステップを含むことを特徴とする請求項１に記載の方法。
【請求項５】
前記処理は、前記画像情報に対して合成操作を行うステップを含むことを特徴とする請求項１に記載の方法。
【請求項６】
前記処理は、前記画像情報に対してアルファブレンディングを行うステップを含むことを特徴とする請求項１に記載の方法。
【請求項７】
前記処理は、前記画像情報に対してエッジ検出を行うステップを含むことを特徴とする請求項１に記載の方法。
【請求項８】
前記受信された画像情報は、輝度関連の色空間のものであり、輝度サンプルに比べてより少ない色度サンプルを有することを特徴とする請求項１に記載の方法。
【請求項９】
前記受信された画像情報をアップサンプリングして、輝度サンプル数に比べて色度サンプル数を増やすステップをさらに含むことを特徴とする請求項８に記載の方法。
【請求項１０】
前記画像情報を処理した後に、前記画像情報を量子化し、ディザリングして、その精度を低減することによって量子化された画像情報を提供するステップをさらに含むことを特徴とする請求項１に記載の方法。
【請求項１１】
前記量子化及びディザリングすることは、誤差分散アルゴリズムを適用して、前記量子化された画像情報におけるアーチファクトの量を低減し、
前記誤差分散アルゴリズムは、処理を受けている画素を基準にして隣接する画素に誤差項を分散することを特徴とする請求項１０に記載の方法。
【請求項１２】
前記線形形式は、疑似線形形式を含むことを特徴とする請求項１に記載の方法。
【請求項１３】
前記処理後、前記画像情報の前記疑似線形形式を取り除く操作を行うステップをさらに含むことを特徴とする請求項１２に記載の方法。
【請求項１４】
少なくとも１つの変倍操作を伴うことを特徴とする請求項１に記載の方法。
【請求項１５】
前記方法は、画像処理パイプラインを定義し、最適化コードプログラムが、前記画像処理パイプラインを実施するために使用されることを特徴とする請求項１に記載の方法。
【請求項１６】
前記最適化コードは、
前記画像処理パイプラインの要件を入力し、
前記要件を実施するために使用できるコードモジュールのライブラリからコードモジュールをアセンブリし、必要でないコードモジュールは前記最適化コードで使用されないようにする
ことによって生成されることを特徴とする請求項１５に記載の方法。
【請求項１７】
請求項１に記載の方法を実施するように構成されていることを特徴とする画像処理パイプライン。
【請求項１８】
請求項１に記載の方法を実施するように構成されているコンピュータ読み取り可能な命令を格納することを特徴とする１つまたは複数のコンピュータ読み取り可能な記録媒体。
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
狂犬病ウイルス中和活性を有する結合分子であって、
前記結合分子が、配列番号３９のアミノ酸配列を含む重鎖可変領域と配列番号６３のアミノ酸配列を含む軽鎖可変領域とを備える結合分子、又は
配列番号３９のアミノ酸配列に対して少なくとも８０％の配列の相同性を有し、かつ配列番号３９と比較して１以上のアミノ酸が改変されている重鎖可変領域と、配列番号６３のアミノ酸配列に対して少なくとも８０％の配列の相同性を有し、かつ配列番号６３と比較して１以上のアミノ酸が改変されている軽鎖可変領域とを備え、かつ狂犬病ウイルス又はその断片に対して特異的に結合するために、配列番号３９と配列番号６３とを備える結合分子と競合することが可能であり、かつ狂犬病ウイルス中和活性を依然として有する結合分子であることを特徴とする結合分子。
【請求項２】
結合分子がヒト由来であることを特徴とする請求項１記載の結合分子。
【請求項３】
結合分子がIgGであることを特徴とする請求項１又は２記載の結合分子。
【請求項４】
請求項１〜３のいずれか一つに記載の結合分子を備え、さらに少なくとも１つのタグを備える免疫コンジュゲート。
【請求項５】
請求項１〜３のいずれか一つに記載の結合分子をコードする核酸分子。
【請求項６】
請求項５に記載の核酸分子を少なくとも１つ備えるベクター。
【請求項７】
請求項６に記載のベクターを少なくとも１つ備えるホスト細胞。
【請求項８】
ヒト細胞である、請求項７に記載のホスト細胞。
【請求項９】
請求項１〜３のいずれか一つに記載の結合分子を生産する方法であって、
ａ）請求項７または８に記載のホスト細胞を、結合分子の発現を起こすような条件の下で培養する工程、および必要に応じて、
ｂ）発現した結合分子を回収する工程、から構成される方法。
【請求項１０】
請求項１〜３のいずれか一つに記載の結合分子を含む医薬品組成物であって、少なくとも１つの薬学的に許容される賦形剤をさらに含む医薬品組成物。
【請求項１１】
狂犬病ウイルス中和活性を有し、かつ狂犬病ウイルスの互いに異なった、競合しないエピトープに結合する少なくとも１つの追加的な結合分子を含む請求項１０に記載の医薬品組成物。
【請求項１２】
追加的な結合分子が、配列番号２７３のアミノ酸配列を含む重鎖可変領域と配列番号２７５のアミノ酸配列を含む軽鎖可変領域とを備えることを特徴とする請求項１１に記載の医薬品組成物。
【請求項１３】
医薬品として使用される、請求項１〜３のいずれか一つに記載の結合分子、請求項４に記載の免疫コンジュゲート、または請求項１０〜１２のいずれか一つに記載の医薬品組成物。
【請求項１４】
狂犬病ウイルスの診断、予防、治療、またはそれらの組み合わせにおいて使用される、請求項１〜３のいずれか一つに記載の結合分子、請求項４に記載の免疫コンジュゲート、または請求項１０〜１２のいずれか一つに記載の医薬品組成物。
【請求項１５】
狂犬病ウイルスの診断、予防、治療、またはそれらの組み合わせのための薬剤の調剤において、請求項１〜３のいずれか一つに記載の結合分子、請求項４に記載の免疫コンジュゲート、または請求項１０〜１２のいずれか一つに記載の医薬品組成物を使用する方法。
【請求項１６】
少なくとも１つの請求項１〜３のいずれか一つに記載の結合分子、請求項４に記載の免疫コンジュゲート、または請求項１０〜１２のいずれか一つに記載の医薬品組成物、またはこれらの組み合わせを備えたキット。
【手続補正書】
【提出日】平成20年3月18日(2008.3.18)
【手続補正１】
【補正対象書類名】特許請求の範囲
【補正対象項目名】請求項１
【補正方法】変更
【補正の内容】
【請求項１】
フィルタ付きタバコを作る方法であって、
フィルタ付きタバコ生産ライン（２）のインフィード区間（５）を構成するインフィードローラー（８）によって与えられる予め決められたピッチ（ｐ）の間隔で配置されるそれぞれの溝（１２）へ倍長シガレットロッド（１３）を供給するステップと、
相互に軸方向に一直線になる対の単長シガレットスティック（１７）を得るために前記倍長シガレットロッド（１３）を前記インフィード区間（５）に沿った一点で横に切断するステップと、
各対の前記シガレットスティック（１７）を前記インフィード区間（５）に沿って軸方向に引き離すステップと、
３つの軸方向に一直線になる要素から成るアセンブリ（２４）を構成するように各対の
単長スティック（１７）の間に倍長フィルタプラグ（２１）を配置するステップと、
前記インフィード区間（５）の最終ローラー（２５）によって与えられる溝（２８、２９）へ前記予め決められたピッチ（ｐ）で前記アセンブリ（２４）を送るステップと、両方とも前記生産ライン（２）の同じ側に配置される２台の供給装置（３ａ、３ｂ）によって各アセンブリ（２４）にフィルタペーパー（４）を貼り付けるステップと、
前記インフィード区間（５）の前記最終ローラー（２５）から離れて上部ブランチ（２６）及び下部ブランチ（２７）を含む前記生産ライン（２）のローリング区間（６）に沿って前記対応するフィルタペーパー（４）を前記アセンブリ（２４）に貼ることによって前記倍長フィルタプラグ（２１）を前記単長シガレットスティック（１７）に接合するステップと、を含み、
前記溝（２８、２９）が交互に配置される第一溝（２８）と第二溝（２９）から成り、それによって１対のアセンブリ（２４）と次の順番の対のアセンブリ（２４）との間の距離が単長フィルタペーパー（４）の幅にほぼ等しくなるように前記第二溝（２９）を隣接する前記第一溝（２８）へ近づけることによって前記アセンブリ（２４）が狭い間隔の対状に配列され、かつフィルタペーパー（４）が前記第一溝（２８）を占める前記アセンブリ（２４）に貼り付けられる、
前記最終インフィードローラー（２５）の回転中に、実施されるステップを含むことを特徴とする、方法。
【手続補正２】
【補正対象書類名】特許請求の範囲
【補正対象項目名】請求項５
【補正方法】変更
【補正の内容】
【請求項５】
インフィード区間（５）及びローリング区間（６）を含むフィルタ付きタバコを作る機械であって、
前記インフィード区間（５）が、タバコ製造機（１）のアウトフィード段階に連結されそれぞれの倍長シガレットロッド（１３）を収めるのに役立つ複数の溝（１２）を周縁に
備える第一のインフィードローラー（８）と、
それぞれの溝（１５）を設けかつそれぞれのカッター手段（１６）を備えそれによって前記倍長
ロッド（１３）が前記第一のローラー（８）から取り上げられて軸方向に一直線になる対の単長シガレットスティック（１７）を得るために横に切断されて、各対のスティック（１７）がこのローラー（１４）のそれぞれの溝（１５）を占めるようにする第二のローラー（１４）と、
各対の単長シガレットスティック（１７）を相互に分離する第三の引き離しローラー（１８）
と、
前記第三の引き離しローラー（１８）から受け取った１対のシガレットスティック（１７）及び対応する供給装置（２１ａ）から受け取った倍長フィルタプラグ（２１）を収めるのに役立ちかつ軸方向に一直線になり対称的に配列される３つの要素すなわちスティック-フィルタ-スティックから成るアセンブリ（２４）を作るそれぞれの溝（２２）を設けた第四のローラー（２３）と、
前記インフィード区間（５）の前記第四のローラー（２３）から前記ローリング区間（６）の上部ブランチ（２６）及び下部ブランチ（２７）へ前記アセンブリ（２４）を移転する最終ローラー（２５）と、
各アセンブリ（２４）にフィルタペーパー（４）を貼り付ける２台の供給装置（３ａ、３ｂ）
と、を組み込み、
前記最終ローラー（２５）が交互に配置される第一溝及び第二溝（２８、２９）のセットを含み、
前記アセンブリ（２４）が予め決められたピッチ（ｐ）で前記第四のローラー（２３）から取り上げられる１つの動作ポジションと、
各対のアセンブリ（２４）と次の順番の対のアセンブリ（２４）との間の距離が、１枚のフィルタペーパー（４）の幅にほぼ等しいように前記アセンブリ（２４）が並んで狭い間隔の対に配列される別の動作ポジションと、の間で、各第二溝（２９）が、それぞれの隣接する第一溝（２８）に対して移動できる、
ことを特徴とする、機械。
【手続補正書】
【提出日】平成20年8月1日(2008.8.1)
【手続補正１】
【補正対象書類名】特許請求の範囲
【補正対象項目名】全文
【補正方法】変更
【補正の内容】
【特許請求の範囲】
【請求項１】
目的のポリペプチドをコードする異種核酸の送達及び発現用の組成物の調製における、少なくとも２つの異なる血清型の精製複製欠損アデノウイルス粒子の使用であって、前記複製欠損アデノウイルス粒子は少なくとも１つの共通ポリペプチドをコードする異種核酸を含む、前記使用。
【請求項２】
精製複製欠損アデノウイルス粒子がアデノウイルス血清型５を含む、請求項１に記載の使用。
【請求項３】
精製複製欠損アデノウイルス粒子がアデノウイルス血清型６を含む、請求項１に記載の使用。
【請求項４】
精製複製欠損アデノウイルス粒子がアデノウイルス血清型５及び６を含む、請求項１に記載の使用。
【請求項５】
異種核酸がヒト免疫不全ウイルス（“ＨＩＶ”）抗原をコードする、請求項１〜４のいずれか１項に記載の使用。
【請求項６】
精製複製欠損アデノウイルス粒子を同時に使用する、請求項１〜５のいずれか１項に記載の使用。
【請求項７】
少なくとも２つの異なる血清型の精製複製欠損アデノウイルス粒子を含む組成物であって、前記複製欠損アデノウイルス粒子は少なくとも１つの共通ポリペプチドをコードする異種核酸を含む、前記組成物。
【請求項８】
異種核酸が、
（ａ）ポリペプチドをコードする核酸；
（ｂ）前記ポリペプチドをコードする核酸に作動可能に連結された異種プロモーター；  及び
（ｃ）転写終結配列、
を含む遺伝子発現カセットを含む、請求項７に記載の組成物。
【請求項９】
ポリペプチドが抗原である、請求項７または８に記載の組成物。
【請求項１０】
抗原がＨＩＶから誘導される、請求項９に記載の組成物。
【請求項１１】
生理学的に許容され得る担体を含む、請求項７〜１０のいずれか１項に記載の組成物。
【請求項１２】
複製欠損アデノウイルス粒子がアデノウイルス血清型５を含む、請求項７〜１１のいずれか１項に記載の組成物。
【請求項１３】
複製欠損アデノウイルス粒子がアデノウイルス血清型６を含む、請求項７〜１１のいずれか１項に記載の組成物。
【請求項１４】
複製欠損アデノウイルス粒子がアデノウイルス血清型５及び６を含む、請求項７〜１１のいずれか１項に記載の組成物。
【手続補正書】
【提出日】平成20年3月4日(2008.3.4)
【手続補正１】
【補正対象書類名】明細書
【補正対象項目名】０００４
【補正方法】変更
【補正の内容】
【０００４】
電源が主電源から独立しているため、電気モータは電子的に整流されなければならない。しかしながら、特に低速のモータ回転速度（即ち、毎分1000回転未満）では、モータの制御及び／又は調整に対する要求が大きくなる。更に、負荷を受けたモータの最適な起動時の挙動及びその力学に対する要求は高く、同時に、各動作点において可及的に最良の効率が達成されるべきであることから、モータの位置ないし配置（通常は磁石により形成される）を決定する必要がある。ロータの正確な位置によってのみ、モータ又はステータ巻線として参照されるコイルに、上記目的に従い、整流が要求される時点で電流を供給することが可能となる。
【特許文献１】WO 98/06338
【特許文献２】DE 198 46 831 A1 (US 6,249,094 B1)
【特許文献３】US 2003/0155878 A1
【特許文献４】US 5,689,159
【特許文献５】US 6,068,544
【特許文献６】US 5,994,867
【特許文献７】US 6,013,991
【特許文献８】WO 2004/036755 A2
【非特許文献１】Felix Jenny/Dieter Wueest, "Steuerverfahren fuer selbstgefuehrte Stromrichter", (C) 1995 vdf Hochschulverlag AG an der ETH Zuerich und B.G. Teubner Stuttgart
【非特許文献２】FPGA-Based SVPWM Control IC for 3-Phase PWM Inverters Ying-Yu Tzou, Member, IEEE, Hau-Jean Hsu, and Tien-Sung kuo Power Electronic and Motion Control Labl, Institute of Control Engineering, National Chiao Tung Univ., Taiwan, R.O.C.
【手続補正書】
【提出日】平成20年2月27日(2008.2.27)
【手続補正１】
【補正対象書類名】特許請求の範囲
【補正対象項目名】全文
【補正方法】変更
【補正の内容】
【特許請求の範囲】
【請求項１】
電力供給バス（１１４）に結合された複数のアビオニクス装置（１０１）と、
前記電力供給バス（１１４）に結合された複数の突入電流リミッタ（１００）とを備え、
前記複数の突入電流リミッタ（１００）の各々は、前記複数のアビオニクス装置（１０１）のうちの１つに対応し、
システム起動中に、前記電力供給バス（１１４）から各々が対応するアビオニクス装置（１０１）への主電流経路を遮断する切換え回路（１０６）と、
システム起動中に、前記電力供給バス（１１４）から各々が対応するアビオニクス装置（１０１）への代替の電流経路を接続し、抵抗素子を含んでシステム起動中に前記電力供給バス（１１４）中の電流を許容レベルに制限する充電回路（１０４）と、
システム起動を検知して、各々が対応するアビオニクス装置（１０１）が規定レベルに充電されたとき、前記充電回路（１０４）が前記代替の電流経路を遮断し、かつ前記切換え回路（１０６）が前記主電流経路を接続するように前記充電回路（１０４）および前記切換え回路（１０６）を制御するリミッタコントローラ（１０２）と、を含む、
装置。
【請求項２】
各突入電流リミッタのための前記リミッタコントローラ（１０２）は前記充電回路（１０４）と切換え回路（１０６）を制御し、規定期間充電した後に前記充電回路が前記代替の電流経路を遮断し、且つ切換え回路（１０６）が前記主電流経路を接続する、ここで前記規定期間は各前記複数のアビオニクス装置に対して個別に選択され前記複数のアビオニクス装置対して時差的な起動をもたらす、前記請求項１に記載の装置。
【請求項３】
各突入電流リミッタのための前記リミッタコントローラ（１０２）は比較器を含み、前記比較器は前記アビオニクス装置の電圧を基準電圧と比較し、前記充電回路が前記代替の電流経路を遮断し且つ前記切換え回路が前記主電流経路を接続する時期を決定する、ここで前記基準電圧は各前記複数のアビオニクス装置に対して選択されて前記複数のアビオニクス装置対して時差的な起動をもたらす、請求項１に記載の装置。
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
膜と、
第一の部分および第二の部分を有する第一の電極と、
該膜に近接する第一の表面および該第一の電極に近接する第二の表面を有する圧電層であって、該第一の表面は、該第二の表面の反対の位置にある、圧電層と、
該圧電層と該第一の電極との間に配置された絶縁層と
を備え、
該第一の電極の該第一の部分は、該絶縁層と接触し、該第一の電極の該第二の部分は、該圧電層と接触する、アクチュエータ。
【請求項２】
前記絶縁層は、酸化物材料を含む、請求項１に記載のアクチュエータ。
【請求項３】
前記絶縁層は、約０．１〜約５マイクロメートルの厚さである、請求項１に記載のアクチュエータ。
【請求項４】
前記絶縁層は、約０．５〜約２マイクロメートルの厚さである、請求項３に記載のアクチュエータ。
【請求項５】
第二の電極をさらに備え、前記圧電層は、前記第一の電極と該第二の電極との間に配置される、請求項１に記載のアクチュエータ。
【請求項６】
ポンプチャンバおよびノズルを有する基板であって、該ポンプチャンバは、該基板の上部表面に近接して形成され、該ノズルと流体連絡する、基板と、
アクチュエータであって、
膜と、
第一の部分および第二の部分を有する第一の電極と、
該膜に近接する第一の表面および該第一の電極に近接する第二の表面を有する圧電層であって、該第一の表面は該第二の表面の反対の位置にある、圧電層と、
該圧電層と該第一の電極との間に配置された絶縁層と
を備え、
該第一の電極の該第一の部分は、該絶縁層と接触し、該第一の電極の該第二の部分は、該圧電層と接触する、アクチュエータと
を備え、
該アクチュエータは、該基板の上部表面に接続される、プリントヘッド構造。
【請求項７】
前記第一の電極の第二の部分は、前記ポンプチャンバと実質的に重なる、請求項６に記載のプリントヘッド構造。
【請求項８】
前記絶縁層は、酸化物材料を含む、請求項７に記載のプリントヘッド構造。
【請求項９】
前記第一の電極は、約２マイクロメートル以下の厚さを有し、
前記絶縁層は、約０．１〜５マイクロメートルの厚さを有する、請求項７に記載のプリントヘッド構造。
【請求項１０】
第二の電極をさらに備え、前記圧電層は、前記第一の電極と該第二の電極との間に配置される、請求項７に記載のプリントヘッド構造。
【請求項１１】
圧電層の第一の表面上に、絶縁材料の層を堆積することと、
該圧電層の第一の部分の上に位置するように、該絶縁材料の層をパターニングすることと、
該絶縁材料および該圧電層の第二の部分に上にある該圧電層の該第一の表面と接触するように第一の電極を形成することと
該圧電層を膜にボンディングして、該圧電層を該膜と該絶縁層との間にすることと
を包含する、アクチュエータを形成する、方法。
【請求項１２】
前記絶縁材料の層を堆積することは、第二の表面上に第二の電極を有する圧電層上に、絶縁材料の層を堆積することを含む、請求項１１に記載の方法。
【請求項１３】
前記絶縁材料の層を堆積することは、前記第一の電極を形成する前に起こる、請求項１１に記載の方法。
【請求項１４】
前記絶縁材料の層を堆積することは、酸化物材料の層を堆積することを含む、請求項１１に記載の方法。
【請求項１５】
前記膜がシリコンを含む、請求項１１に記載の方法。
【請求項１６】
圧電層の第一の表面上に、絶縁材料の層を堆積することと、
該絶縁材料が、該圧電層の第一の部分の上に位置するように該絶縁材料の層をパターニングすることと、
該絶縁材料および該圧電層の第二の部分に上にある該圧電層の該第一の表面と接触するように第一の電極を形成することと、
該圧電層を基板の上部表面にボンディングすることであって、該圧電層は、該基板と該絶縁層との間にあり、該基板は、ポンプチャンバおよびノズルを有し、該ポンプチャンバは、該基板の該上部表面に近接し、該ノズルと流体連絡する、ことと
を包含する、プリントヘッドを形成する方法。
【請求項１７】
前記基板は、インク流路を備える、請求項１６に記載の方法。
【請求項１８】
前記絶縁層をパターニングすることは、前記ポンプチャンバの少なくとも一部の上に位置する該絶縁層の一部を除去する、請求項１６に記載の方法。
【請求項１９】
絶縁材料の層を堆積することは、約０．５〜約２マイクロメートルの厚さである酸化物の層を堆積することを含む、請求項１８に記載の方法。
【請求項２０】
前記圧電層を前記基板の上部表面にボンディングすることは、第二の電極が該圧電層と該基板との間になるように該圧電層を基板にボンディングすることを包含する、請求項１６に記載の方法。
【手続補正書】
【提出日】平成20年7月16日(2008.7.16)
【手続補正１】
【補正対象書類名】特許請求の範囲
【補正対象項目名】全文
【補正方法】変更
【補正の内容】
【特許請求の範囲】
【請求項１】
哺乳動物対象における自己免疫障害または炎症性障害を処置、改善または防止するための医薬組成物を製造するための、抗ＩＬ−２１Ｒ抗体、抗ＩＬ−２１抗体、抗ＩＬ−２１Ｒ抗体の抗原結合性フラグメント、抗ＩＬ−２１抗体の抗原結合性フラグメント、および、ＩＬ−２１Ｒの可溶性フラグメントからなる群より選択されるＩＬ−２１／ＩＬ−２１Ｒアンタゴニストの使用。
【請求項２】
関節炎障害、アトピー性障害、呼吸器障害、皮膚炎症性障害、腸炎症性障害、線維化障害、全身性エリテマトーデス、移植／移植片拒絶、および、移植／移植片拒絶に関連する障害からなる群より選択される障害を哺乳動物対象において処置、改善または防止するための医薬組成物を製造するための、抗ＩＬ−２１Ｒ抗体、抗ＩＬ−２１抗体、抗ＩＬ−２１Ｒ抗体の抗原結合性フラグメント、抗ＩＬ−２１抗体の抗原結合性フラグメント、および、ＩＬ−２１Ｒの可溶性フラグメントからなる群より選択されるＩＬ−２１／ＩＬ−２１Ｒアンタゴニストの使用。
【請求項３】
抗ＩＬ−２１Ｒ抗体が、配列番号２に示される配列に対して少なくとも９０％同一性であるアミノ酸配列から構成されるＩＬ−２１Ｒに結合することができ、かつ、ＩＬ−２１ＲがＩＬ−２１と結合することができる、請求項２に記載の使用。
【請求項４】
関節炎障害が、関節リウマチ、若年性関節リウマチ、変形性関節症、乾癬性関節炎および強直性脊椎炎からなる群より選択される、請求項３に記載の使用。
【請求項５】
関節炎障害が関節リウマチである、請求項４に記載の使用。
【請求項６】
呼吸器障害が喘息または慢性閉塞性肺疾患である、請求項３に記載の使用。
【請求項７】
線維化障害が、体内器官の線維化、皮膚の線維化性障害、眼の線維化状態、全身性硬化症、多発性筋炎、皮膚筋炎、好酸球性筋膜炎、レイノー症候群、糸球体腎炎および鼻ポリポーシスからなる群より選択される、請求項３に記載の使用。
【請求項８】
腸炎症性障害が、炎症性腸疾患、潰瘍性大腸炎およびクローン病からなる群より選択される、請求項３に記載の使用。
【請求項９】
皮膚炎症性障害が乾癬である、請求項３に記載の使用。
【請求項１０】
アトピー性障害が、アレルギー性喘息、アトピー性皮膚炎、じんま疹、湿疹、アレルギー性鼻炎およびアレルギー性胃腸炎からなる群より選択される、請求項３に記載の使用。
【請求項１１】
アトピー性障害がアレルギー性喘息である、請求項１０に記載の使用。
【請求項１２】
移植／移植片拒絶に関連する障害が移植片対宿主病である、請求項３に記載の使用。
【請求項１３】
障害が移植／移植片拒絶である、請求項３に記載の使用。
【請求項１４】
障害が全身性エリテマトーデスである、請求項３に記載の使用。
【請求項１５】
哺乳動物対象がヒトである、請求項２に記載の使用。
【請求項１６】
ＩＬ−２１Ｒの可溶性フラグメントがＩＬ−２１Ｒの細胞外ドメインおよびＦｃ免疫グロブリンフラグメントから構成される、請求項２に記載の使用。
【請求項１７】
ＩＬ−２１Ｒの細胞外ドメインが配列番号２のおよそアミノ酸１〜２３５を含む、請求項１６に記載の使用。
【請求項１８】
ＩＬ−２１Ｒの可溶性フラグメントが、配列番号２９に示される配列に対して少なくとも９０％同一であるアミノ酸配列から構成される、請求項２に記載の使用。
【請求項１９】
ＩＬ−２１／ＩＬ−２１Ｒアンタゴニストが抗ＩＬ−２１Ｒ抗体またはその抗原結合性フラグメントである、請求項２に記載の使用。
【請求項２０】
ＩＬ−２１／ＩＬ−２１Ｒアンタゴニストが抗ＩＬ−２１抗体またはその抗原結合性フラグメントである、請求項２に記載の使用。
【請求項２１】
ＩＬ−２１Ｒの細胞外ドメイン（この場合、ＩＬ−２１Ｒは、配列番号２に示される配列に対して少なくとも９０％同一であるアミノ酸配列を有する）と、Ｆｃ免疫グロブリンフラグメントとから構成され、かつ、ＩＬ−２１と結合することができる融合タンパク質。
【請求項２２】
配列番号２９に示される配列に対して少なくとも９０％同一であるアミノ酸配列から構成される、請求項２１に記載の融合タンパク質。
【請求項２３】
請求項２１に記載される融合タンパク質をコードするヌクレオチド配列を有するベクター。
【請求項２４】
請求項２３に記載されるベクターを含む組換え宿主細胞。
【請求項２５】
（ａ）請求項２４に記載される組換え宿主細胞を、融合タンパク質が発現されるような条件のもとで培養すること；および
（ｂ）融合タンパク質を回収すること
を含む、融合タンパク質の製造方法。
【請求項２６】
ＩＬ−２１／ＩＬ−２１Ｒアンタゴニストおよび医薬的に許容され得るキャリアを含む医薬組成物。
【請求項２７】
ＩＬ−２１／ＩＬ−２１Ｒアンタゴニストが、抗ＩＬ−２１Ｒ抗体、抗ＩＬ−２１抗体、抗ＩＬ−２１Ｒ抗体の抗原結合性フラグメント、抗ＩＬ−２１抗体の抗原結合性フラグメント、および、ＩＬ−２１Ｒの可溶性フラグメントからなる群より選択される、請求項２６に記載の医薬組成物。
【請求項２８】
ＩＬ−２１Ｒの可溶性フラグメントが、ＩＬ−２１Ｒの細胞外ドメインと、Ｆｃ免疫グロブリンフラグメントとから構成される、請求項２７に記載の医薬組成物。
【請求項２９】
臓器、組織、細胞または細胞群を哺乳動物対象に移植／グラフト化する際の移植／移植片拒絶の危険性を低下させるための医薬組成物であって移植／グラフト化を医薬組成物の投与の前または期間中または後のいずれかで行うための医薬組成物を製造するための、抗ＩＬ−２１Ｒ抗体、抗ＩＬ−２１抗体、抗ＩＬ−２１Ｒ抗体の抗原結合性フラグメント、抗ＩＬ−２１抗体の抗原結合性フラグメント、および、ＩＬ−２１Ｒの可溶性フラグメントからなる群より選択されるＩＬ−２１／ＩＬ−２１Ｒアンタゴニストの使用。
【請求項３０】
移植／グラフト化された臓器、組織、細胞または細胞群が、心臓、腎臓、肝臓、肺、膵臓、骨髄、軟骨、角膜、ニューロン組織、および、それらの細胞からなる群より選択される、請求項２９に記載の使用。
【請求項３１】
哺乳動物の移植／移植片レシピエントにおける移植／移植片拒絶を処置、防止または改善するための医薬組成物を製造するための、抗ＩＬ−２１Ｒ抗体、抗ＩＬ−２１抗体、抗ＩＬ−２１Ｒ抗体の抗原結合性フラグメント、抗ＩＬ−２１抗体の抗原結合性フラグメント、および、ＩＬ−２１Ｒの可溶性フラグメントからなる群より選択されるＩＬ−２１／ＩＬ−２１Ｒアンタゴニストの使用。
【請求項３２】
移植／移植片拒絶の症状が、炎症、低下した臓器機能、生検における拒絶の徴候、および、線維化からなる群より選択される、請求項３１に記載の使用。